(57)【要約】【課題】本発明は、印画乱れ、または印画品質の劣化等を防止できると共に、ほぼフラットな状態でバックフィードすることができるプリンタを提供すること。【解決手段】支持部材９のローラ係支腕９ｂ、９ｋにピックアップローラ１１ａを回転可能に支持し、ロック腕９ｃが付勢部材１２を押圧可能とし、付勢部材１２は、ロック腕９ｃに押圧されることにより付勢力に抗して圧接プレート１５から離間した状態でロックされ、記録媒体１３をプラテンローラ３とサーマルヘッド４とから成る印刷部に給紙時には、支持部材９が支持部９Ｅ、９ｍを支点として一方向に回動して、ピックアップローラ１１ａが圧接プレート１５側に移動すると共に、ロック腕９ｃが付勢部材１２のロックを解除して記録媒体１３が圧接プレート１５を介してピックアップローラ１１ａに圧接するようにした。【選択図】　　　　図１
2004075214.tif 000002
【特許請求の範囲】
【請求項１】
複数枚の記録媒体を載置可能な圧接プレートを有する給紙トレーと、前記圧接プレート上に載置した前記記録媒体を１枚ずつ分離して給紙可能なピックアップローラと、前記記録媒体を前記圧接プレートを介して前記ピックアップローラ側に所定の付勢力で付勢可能な付勢部材と、前記ピックアップローラにより給紙された前記記録媒体に所望の画像を印刷可能な印刷部とを備え、前記ピックアップローラを前記記録媒体に対して接離可能に支持すると共に前記付勢部材を前記圧接プレートに対して接離可能に支持する支持部材を配設したことを特徴とするプリンタ。
【請求項２】
前記支持部材は、前記ピックアップローラが前記記録媒体に圧接した状態では、前記付勢部材が前記圧接プレートを前記ピックアップローラ側に付勢するように支持し、前記ピックアップローラが前記記録媒体から離間した状態では、前記付勢部材が前記圧接プレートから離間するように支持することを特徴とする請求項１に記載のプリンタ。
【請求項３】
前記支持部材は、支持部を支点として回動可能に支持され、前記支持部から一方側に延びるローラ係支腕と前記支持部から他方側に延びるロック腕とを有し、前記ローラ係支腕に前記ピックアップローラを回転可能に支持し、前記ロック腕が前記付勢部材を押圧可能とし、前記付勢部材は、前記ロック腕に押圧されることにより前記付勢力に抗して前記圧接プレートから離間した状態でロックされ、前記記録媒体を前記印刷部に給紙時には、前記支持部材が前記支持部を支点として一方向に回動して前記ピックアップローラが前記圧接プレート側に移動すると共に、前記ロック腕が前記付勢部材の前記ロックを解除して前記記録媒体が前記圧接プレートを介して前記ピックアップローラに圧接するようにしたことを特徴とする請求項１、または２記載のプリンタ。
【請求項４】
前記記録媒体の前記給紙が終了すると、前記支持部材が他方向に反転して、前記ピックアップローラが前記記録媒体から離間して待避すると共に、前記ロック腕が前記付勢部材を前記付勢力に抗して押圧することにより、前記付勢部材が前記ロックされるようにしたことを特徴とする請求項３記載のプリンタ。
【請求項５】
前記給紙、又は給紙方向と反対方向に搬送するバックフィード時の前記記録媒体上には、この記録媒体をガイド可能な用紙ガイドを配設したことを特徴とする請求項１乃至４のいずれかに記載のプリンタ。
【請求項６】
前記用紙ガイドは、前記支持部材に一体形成したことを特徴とする請求項５記載のプリンタ。
【発明の詳細な説明】
【０００１】
【発明の属する技術分野】
本発明はプリンタに係わり、記録媒体を印刷部にスムーズに給紙することができると共に、給紙後の記録媒体を折り曲げることなくバックフィード可能なプリンタに関する。
【０００２】
【従来の技術】
従来のプリンタを、図８に示すような例えば熱転写プリンタに基づいて説明すると、従来のプリンタは、カセット載置部（図示せず）に給紙カセット３１が装着されている。この給紙カセット３１は、内部の底面に上下動可能なの圧接プレート３２が配設され、この圧接プレート３２上に複数枚の記録媒体３３が載置可能になっている。
また、給紙カセット３１上には、回転駆動可能なピックアップローラ３４が配設されている。このピックアップローラ３４は記録媒体３３との摩擦抵抗を大きくするために、表面にゴム等の摩擦部材が被覆されている。
【０００３】
また、給紙カセット３１の前端部３１ａ側の下方には、矢印Ｃ方向に付勢された付勢レバー３５が配設されて、圧接プレート３２をピックアップローラ３４側に付勢するようになっている。
そして、給紙カセット３１をカセット載置部に装着すると、付勢レバー３５が圧接プレート３２を上方に持ち上げて、圧接プレート３２上に載置した記録媒体３３をピックアップローラ３４に圧接するようになっている。
【０００４】
前記ピックアップローラ３４に圧接した記録媒体３３は、ピックアップローラ３４の回転で矢印Ａ方向に搬送可能になっており、この矢印Ａの搬送方向における付勢レバー３４より下流側には、回転自在のプラテンローラ３６と、このプラテンローラ３６の上方にサーマルヘッド３７が配設されてヘッドアップ／ダウン可能になっている。
前記サーマルヘッド３７とプラテンローラ３６との間には、所望の色のインクを塗布したインクリボン（図示せず）が引き回しされている。
また、矢印Ａの給紙方向におけるプラテンローラ３６より下流側には、紙送りローラ３８と、この紙送りローラ３８に圧接する圧接ローラ３９とが配設されている。
【０００５】
このような構成の従来のプリンタの印刷動作を説明すると、まず、圧接プレート３２上に複数枚の記録媒体３３を載置した給紙カセット３１をカセット載置部（図示せず）に装着すると、付勢レバー３５が圧接プレート３２を上方に持ち上げる。
すると、記録媒体３３がピックアップローラ３４に圧接され、この状態でピックアップローラ３４を時計回り方向に回転駆動すると、最上部の記録媒体３３が下部の記録媒体３３から分離されて矢印Ａの給紙方向に搬送される。
そして、紙送りローラ３８と圧接ローラ３９とに圧接狭持された記録媒体３３の前端部を、用紙検出センサ（図示せず）が検出することにより、記録媒体３３の頭出しが行われる。
【０００６】
この頭出しによって給紙動作が終了すると、サーマルヘッド３７がヘッドダウンする。そして、記録媒体３３とインクリボン（図示せず）とをプラテンローラ３６に圧接して、印刷情報に基づいてサーマルヘッド３７の発熱素子（図示せず）を選択的に発熱させると共に、紙送りローラ３８を反時計回り方向に回転させて、記録媒体３３を矢印Ａ方向に搬送する。
このことにより、記録用紙３３に所望の色の画像が印刷される。そして、印刷後の記録媒体３３は、紙送りローラ３８の回転でプリンタ外部に排紙される。
前記印刷中の記録媒体３３は、紙送りローラ３８とピックアップローラ３４の２個のローラに圧接されて、矢印Ａの搬送方向に搬送されるようになっている。
【０００７】
また、記録媒体３３にカラー印刷を行う場合は、まず、最初の色Ｙ（イエロー）の色の画像を印刷し、その後、記録媒体を２点鎖線で示す矢印Ｂ方向にバックフィードする。このバックフィード時の記録媒体３３は、ピックアップローラ３４の上部に案内されるようになっている。
そして、同様の動作でＹの色の画像の上からＭ（マゼンタ）の色のインクを重ね印刷し、このＭの色の画像の上からＣ（シアン）の色のインクを重ね印刷することにより、記録媒体３３に所望のカラー画像を印刷することができる。
【０００８】
このような従来のプリンタ５１は、矢印Ｂ方向にバックフィードされる記録媒体３３は、ピックアップローラ３４上を搬送されるので、印画面に接触するものが無く、印画品質が劣化することがない。
【０００９】
【発明が解決しようとする課題】
しかし、前述したような従来のプリンタは、ピックアップローラ３４が上下動しないので、ピックアップローラ３４と給紙トレー３１との間にほとんど隙間が無い状態なので、記録媒体３３を矢印Ｂ方向にバックフィードする場合は、ピックアップローラ３４の上方に案内したいたので、記録媒体３３が略Ｓ字状に湾曲して、高精度なバックフィードができなくなり、カラー印刷等を行うときに色ズレ等が発生して印画品質が劣化するおそれがあった。
【００１０】
また、印刷中の記録媒体３３は、ピックアップローラ３４と紙送りローラ３８の両方に圧接されて搬送されるので、ピックアップローラ３４又は紙送りローラ３８の回転速度等が変動すると、どちらかの回転負荷が変化して、印画品質が低下するおそれがあった。
本発明は、前述したような問題点に鑑みてなされたもので、色ズレ等の印画品質の劣化等を防止できると共に、ほぼフラットな状態でバックフィードすることができるプリンタを提供することを目的とする。
【００１１】
【課題を解決するための手段】
前記課題を解決するための第１の解決手段として本発明のプリンタは、複数枚の記録媒体を載置可能な圧接プレートを有する給紙トレーと、前記圧接プレート上に載置した前記記録媒体を１枚ずつ分離して給紙可能なピックアップローラと、前記記録媒体を前記圧接プレートを介して前記ピックアップローラ側に所定の付勢力で付勢可能な付勢部材と、前記ピックアップローラにより給紙された前記記録媒体に所望の画像を印刷可能な印刷部とを備え、
前記ピックアップローラを前記記録媒体に対して接離可能に支持すると共に前記付勢部材を前記圧接プレートに対して接離可能に支持する支持部材を配設したことを特徴とする。
【００１２】
また、前記課題を解決するための第２の解決手段として、前記支持部材は、前記ピックアップローラが前記記録媒体に圧接した状態では、前記付勢部材が前記圧接プレートを前記ピックアップローラ側に付勢するように支持し、前記ピックアップローラが前記記録媒体から離間した状態では、前記付勢部材が前記圧接プレートから離間するように支持することを特徴とする。
【００１３】
また、前記課題を解決するための第３の解決手段として、前記支持部材は、支持部を支点として回動可能に支持され、前記支持部から一方側に延びるローラ係支腕と前記支持部から他方側に延びるロック腕とを有し、前記ローラ係支腕に前記ピックアップローラを回転可能に支持し、前記ロック腕が前記付勢部材を押圧可能とし、前記付勢部材は、前記ロック腕に押圧されることにより前記付勢力に抗して前記圧接プレートから離間した状態でロックされ、前記記録媒体を前記印刷部に給紙時には、前記支持部材が前記支持部を支点として一方向に回動して前記ピックアップローラが前記圧接プレート側に移動すると共に、前記ロック腕が前記付勢部材の前記ロックを解除して前記記録媒体が前記圧接プレートを介して前記ピックアップローラに圧接するようにしたことを特徴とする。
【００１４】
また、前記課題を解決するための第４の解決手段として、前記記録媒体の前記給紙が終了すると、前記支持部材が他方向に反転して、前記ピックアップローラが前記記録媒体から離間して待避すると共に、前記ロック腕が前記付勢部材を前記付勢力に抗して押圧することにより、前記付勢部材が前記ロックされるようにしたことを特徴とする。
【００１５】
また、前記課題を解決するための第５の解決手段として、前記給紙、又は給紙方向と反対方向に搬送するバックフィード時の前記記録媒体上には、この記録媒体をガイド可能な用紙ガイドを配設したことを特徴とする。
【００１６】
また、前記課題を解決するための第６の解決手段として、前記用紙ガイドは、前記支持部材に一体形成したことを特徴とする。
【００１７】
【発明の実施の形態】
以下に、本発明のプリンタの実施の形態について、図面に基づいて説明する。図１〜図４は本発明のプリンタの印刷動作を説明する要部断面図であり、図５は図１の斜視図であり、図６、図７は本発明に係わる支持部材及びピックアップローラを説明する要部斜視図である。
【００１８】
まず、本発明の実施の形態のプリンタを、例えば熱転写プリンタで説明すると、図１〜図４に示すように、本発明のプリンタ１は、一方の側板２ａを有する本体ケース２が配設されており、この本体ケース２は、一方の側板２ａと対向する側に他方の側板（図示せず）が形成されて内部が空洞状になっている。
そして、側板２ａの略中央部下方には、プラテンローラ３が一方の側板２ａと他方の側板とに両持ち支持されて回転自在になっている。また、プラテンローラ３の上方には、プラテンローラ３に対してヘッドアップ／ダウン可能なサーマルヘッド４が配設されており、このサーマルヘッド４とプラテンローラ３とで、後述する記録媒体１３に所望の画像を印刷可能な印刷部を構成している。
【００１９】
また、サーマルヘッド４の図示右側には、棒状で回転自在の供給ボビン５が一方の側板２ａから垂直状に立設して配設されている。また、サ−マルヘッド４の図示左側には、棒状で回転駆動可能な巻取りボビン６が、供給ボビン５と同様に一方の側板２ａから垂直状に立設して配設されている。
このような供給ボビン５、巻取りボビン６は、一方の側板２ａに片持ち支持されており、インクリボン（図示せず）をパンケーキ状に巻回した供給コアと巻取りコア（図示せず）とを、自由端状の先端部側から挿入して係合可能になっている。
【００２０】
また、巻取りボビン６の図示左側には、回転駆動可能な紙送りローラ７と、この紙送りローラ７に圧接する回転自在の圧接ローラ８とが配設されており、後述する記録媒体１３を矢印Ｄ方向に搬送、又は矢印Ｅ方向にバックフィード可能になっている。また、供給ボビン５の下部には、図７に示すような、支持部材９が配設されている。
この支持部材９は、後述する長尺状の用紙ガイド１０を挟んで一方側に第１カム板９ａと、他方側に第２カム板９ｊとが形成されている。
前記一方側の第１カム板９ａは、図示右方向に延びる第１ローラ係支腕９ｂと、図示左下方側に延びるロック腕９ｃと、第１ローラ係支腕９ｂとロック腕９ｃの交点部分から上方に延びる駆動腕９ｄとで３又状に形成されている。
【００２１】
また、第１カム板９ａは、３又状の交点に穴状の支持部９ｅが形成されて、この支持部９ｅが一方の側板２ａに形成した突起部（図示せず）に支持されている。　また、第１カム板９ａは、駆動腕９ｄの図示上端部側に、駆動棒９ｆが外向きに立設されて一体形成されている。また、第ローラ係支腕９ｂは、外寄りの上端辺が内向きに折り曲げられて係支爪９ｇが形成され、下端辺には長尺状の用紙ガイド１０が一体形成されている。
また、第１カム板９ａは、ロック腕９ｃの先端部に、後述する付勢部材１２の第１壁部１２ａを押圧した状態で動きを規制可能（ロック可能）な押圧部９ｈが形成されている。
【００２２】
また、カム板９は、長尺状の用紙ガイド１０が一体形成され、この用紙ガイド１０を挟んで第１カム板９ａと対向する他方側に、第２カム板９ｊが形成されている。この第２カム板９ｊは、第１ローラ係支腕９ｂと対向する位置に第２ローラ係支腕９ｋが形成され、支持部９ｅと対向する位置に支持部９ｍが形成され、係支爪９ｇと対向する位置に係支爪９ｎがそれぞれ形成されている。
このような支持部材９は、第１カム板９ａの支持部９ｅと、第２カム板９ｊの支持部９ｍとが一方の側板２ａと他方の側板（図示せず）とに形成した棒状の支持ピン（図示せず）に支持されて、それぞれの支持部９ｅ、９ｍを支点として回動可能になっている。
【００２３】
また、用紙ガイド１０は、後述する記録媒体１３の幅寸法より長めに形成されて、矢印Ｅ方向にバックフィードする記録媒体１３をガイド可能になっている。また、支持部材９は、ステンレス板等からなり、少なくとも用紙ガイド１０形成部分は、後述する記録媒体１３が滑り易いように、例えばコーナ部が面取り等されている。
【００２４】
また、用紙ガイド１０を挟んで互いに対向する一対の第１、第２ローラ係支腕９ｂ、９ｋには、ローラ支持部材１１が軸支可能になっている。このローラ支持部材１１は、後述する記録媒体１３に対して摩擦抵抗が大きなゴム等からなるピックアップローラ１１ａと、このピックアップローラ１１ａを軸止した回転軸１１ｂと、この回転軸１１ｂを回転自在に支持する一対の支持腕１１ｃとからなっている。
そして、一対の支持腕１１ｃを支持部材９の一対の第１、第２ローラ係支腕９ｂ、９ｋに係支すると共に、支持腕１１ｃの端部に形成した支持孔１１ｄを支持部材９の支持部９ａ、９ｍに位置合わせして、一方の側板２ａと他方の側板（図示せず）との棒状の支持ピン（図示せず）を挿通することにより、互いに一体化されている。
また、ローラ支持部材１１は、図６に示す回転軸１１ｂの左側端部に駆動ギア１１ｅが軸止されて、ピックアップローラ１１ａを回転駆動可能になっている。
【００２５】
また、プラテンローラ３の右側には、側面視の形状が、図１に示すように、板材を略くの字状に折り曲げて第１壁部１２ａと第２壁部１２ｂとからなる付勢部材１２が配設されている。そして、この付勢部材１２は、コイルバネ等の弾性部材（図示せず）に付勢されて、第１壁部１２ａの端部である一端部１２ｃを支点として第２壁部１２ｂの端部である他端部１２ｄが上方に回動自在になっている。
また、ピックアップローラ１１ａの下部には、複数枚の記録媒体１３を収納可能な給紙トレー１４が装着可能になっている。
【００２６】
前記給紙トレー１４は、前側壁１４ａの下方が切り欠きされて第１開口部１４ｂ形成され、この第１開口部１４ｂに付勢部材１２の第２壁部１２ｂが侵入可能になっている。
また、給紙トレー１４は、上部を蓋閉可能な蓋部材１４ｃが配設されており、この蓋部材１４ｃを取り外して、内部に記録媒体１３を収納可能になっている。また、蓋部材１４ｃには、図５に示すように、ピックアップローラ１１ａが降下して給紙トレー１４内部に侵入可能な第２開口部１４ｄが形成されている。
また、前側壁１４ａと蓋材１４ｃの前方部との間には所定の隙間が形成されて、内部に収納した記録媒体１３をピックアップローラ１１ａの回転で、図２に示すように、矢印Ｄ方向に搬送可能になっている。
【００２７】
また、給紙トレー１４の底板１４ｅ上で前側壁１４ａ寄りの位置には、圧接プレート１５が配設されており、この圧接プレート１５上に複数枚の記録媒体１３が載置されている。
そして、圧接プレート１５は、裏面に付勢部材１２の第２壁部１２ｂが当接可能になっており、ロックが解除された付勢部材１２が、一端部１２ｃを支点として他端部１２ｄが上方に回動して上昇し、圧設プレート１５上に載置した記録媒体１３がピックアップローラ１１ａに圧接するようになっている。
【００２８】
このような構成の本発明のプリンタの印刷動作を図１〜図４に基づいて説明すると、まず、図１に示す初期状態においては、サーマルヘッド４がプラテンローラ３から離間したヘッドアップ状態になっている。また、支持部材９は反時計回り方向に回動して、ローラ係支腕９ｂが水平状態より若干上向きになってピックアップローラ１１ａが給紙トレー１４の第２開口部１４ｄから抜け出て記録媒体１３に対して非圧接状態となっている。
また、付勢部材１２は、支持部材９のロック腕９ｃの押圧部９ｈに第１壁部１２ａが押圧されて下方側に回動した状態でロックされている。また、付勢部材１２の第２壁部１２ｂは圧接プレート１５から離間した状態になっている。
【００２９】
この状態から、支持部材９の駆動棒９ｆを駆動して、支持部材９を支持部９ｅ、９ｍを支点として時計回り方向に回動させると、図２に示すように、付勢部材１２をロックしていたロック腕９ｃが上方に回動すると共に、ピックアップローラ１１ａが下方に降下する。
このことにより、付勢部材１２のロックが解除されて、一端部１２ｃを支点として他端部１２ｄが上方側に回動し、記録媒体１３を載置した圧接プレート１５を上昇させる。
また、降下したピックアップローラ１１ａが給紙トレー１４の第２開口部１４ｄ内に侵入して、ロック解除された付勢部材１５によって上昇した記録媒体１３がピックアップローラ１１ａに圧接される。
【００３０】
この状態で駆動ギア１１ｅを回転駆動させてピックアップローラ１１ａを時計回り方向に回転することにより、最上部の記録媒体１３が分離されて矢印Ｄ方向に給紙される。そして、記録媒体１３は、図２に示すように、ヘッドアップ状態のサーマルヘッド４とプラテンローラ３との間を通過して、前端部１３ａが紙送りローラ７と圧接ローラ８とに狭持される。
そして、紙送りローラ７の反時計回り方向の回転で矢印Ｄ方向に若干搬送された記録媒体１３の前端部１３ａを用紙検出センサ（図示せず）が検出すると、記録媒体１３の最初の印刷行の頭出しが行われると共に、図３に示すように、サーマルヘッド４がヘッドダウンしてインクリボン（図示せず）と記録媒体１３とをプラテンローラ３に圧接する。
【００３１】
また、同時に支持部材９は、支持部９ｅ、９ｍを支点として反時計回り方向に回動して、ロック腕９ｃの押圧部９ｈが付勢部材１２を下方に押し下げると共に、ピックアップローラ１１ａが上昇する。
また、同時にヘッドダウン状態のサーマルヘッド４の複数の発熱素子（図示せず）を印刷情報に基づいて選択的に通電して発熱させると共に、紙送りローラ７を反時計方向に回転駆動する。
このことにより、記録媒体１３が矢印Ｄの排紙方向に搬送されると共に、インクリボンのインクが記録媒体１３に熱転写されて、所望の色の画像が印刷される。
そして、印刷後の記録媒体１３は、紙送りローラ７によてプリンタ１の外部に排紙される。
【００３２】
また、本発明のプリンタ１で、例えばカラー印刷を行う場合は、少なくともＹ（イエロー）、Ｍ（マゼンタ）、Ｃ（シアン）の３原色の３色のインクが、順次繰り返し塗布されたマルチカラーインクリボン（図示せず）を用いる。
そして、最初の第１の印刷動作で、紙送りローラ７と圧接ローラ８とに圧接狭持した記録媒体１３を矢印Ｄ方向に搬送しながら、例えばＹ（イエロー）の色の画像を記録媒体１３に印刷する。
【００３３】
前記Ｙ（イエロー）の色の画像印刷が終わると、サーマルヘッド４をヘッドアップさせると共に、紙送りローラ７を時計回り方向に反転させて、図４に示すように、記録媒体１３を矢印Ｄ方向と反対の矢印Ｅ方向にバックフィードする。
この時に記録媒体１３の後端部１３ｂは、ピックアップローラ１１ａと圧設プレート１５とが互いに離れる方向に移動することにより生じた隙間部分に、矢印Ｄ方向に給紙した記録媒体１３を矢印Ｅ方向にバックフィード可能になっている。
そのために、バックフィードされる記録媒体１３とピックアップローラ１１ａとの間には所定寸法の隙間が形成されているので、記録媒体１３の印画面がピックアップローラ１１ａに擦れることはない。
更に、支持部材９には用紙ガイド１０が一体形成されているので、バックフィードされる記録媒体１３に反り等が発生したとしても、記録媒体１３は用紙ガイド１０にガイドされるので、印画面がピックアップローラ１１ａに擦れることが無く、Ｙの色を画像印刷した印画面に傷等が付いて画像が劣化することがない。また、記録媒体１３に反り等が発生して、印画面が用紙ガイド１０に擦れたとしても、用紙ガイド１０は摩擦抵抗が小さくて滑り易いメッキ等が施されているので、印画面に傷等が付くことがない。
【００３４】
そして、バックフィードした記録媒体１３の頭出しを再度行って、Ｙの色の画像の上に、Ｍ（マゼンタ）の色の画像を重ね印刷する。
次に、同様の印刷動作で、Ｍの色の画像の上にＣ（シアン）の色のインクを重ね印刷することにより、所望の色からなるカラー画像を記録媒体１３に印刷することができる。
【００３５】
このような本発明のプリンタ１は、給紙トレー１４内の記録媒体１３を紙送りローラ７までピックアップローラ１１ａで給紙だけを行い、印刷動作中はピックアップローラ１１ａが上方に待避するようになっている。そのために、印刷動作中の記録媒体１３の搬送は、紙送りローラ７と圧接ローラ８とだけで行ことができ、高速の紙送りを行っても、印画乱れ等が発生しない高精度な紙送りが可能となる。
また、支持部材９によって、ピックアップローラ１１ａを上方に大きく待避させることができので、待避させたピックアップローラ１１ａの下側を、フラットな状態で記録媒体１３を矢印Ｅ方向にバックフィードさせることができる。
【００３６】
そのために、バックフィードするときの記録媒体１３に反り等が発生しないので、厚紙等に印刷した画像の劣化を防止できる。
また、もしもバックフィードする記録媒体１３にウネリ等の反りが発生していたとしても、記録媒体１３は滑り性の良い用紙ガイド１０にガイドされるので、印画面がピックアップローラ１１ａに擦れることが無く、画像の劣化を防止することができる。
また本発明の実施の形態の説明では、熱転写プリンタで説明したが、インクジェットプリンタ等のその他のプリンタでも良い。
【００３７】
【発明の効果】
本発明の熱転写方式ラインプリンタは、ピックアップローラを記録媒体に対して接離可能に支持すると共に付勢部材を圧接プレートに対して接離可能に支持する支持部材を配設したので、バックフィードする記録媒体がピックアップローラに擦れることがなく、画像品質が劣化すことがない。
【００３８】
また、支持部材は、ピックアップローラが記録媒体に圧接した状態では、付勢部材が圧接プレートをピックアップローラ側に付勢するように支持し、ピックアップローラが記録媒体から離間した状態では、付勢部材が圧接プレートから離間するように支持するので、給紙時にはピックアップローラが確実に記録媒体に圧接することができ、確実な給紙を行うことができる。
【００３９】
また、記録媒体を印刷部に給紙時には、支持部材が支持部を支点として一方向に回動してピックアップローラが圧接プレート側に移動すると共に、ロック腕が付勢部材のロックを解除して記録媒体が圧接プレートを介してピックアップローラに圧接するようにしたので、ピックアップローラを上方に大きく待避することができ、ピックアップローラの下部をフラットな状態で記録媒体をバックフィードさせることができる。
そのために、バックフィードする記録媒体の印画品質が劣化することがない。
【００４０】
また、記録媒体の給紙が終了すると、支持部材が他方向に反転して、ピックアップローラが記録媒体から離間して待避すると共に、ロック腕が付勢部材を付勢力に抗して押圧することにより、付勢部材がロックされるようにしたので、印刷動作中の記録媒体の搬送は、紙送りローラと圧接ローラとだけで行ことができ、高速の紙送りを行っても、印画乱れ等が発生しない高精度な紙送りが可能なプリンタを提供できる。
【００４１】
また、給紙、又はバックフィード時の記録媒体上には、この記録媒体をガイド可能な用紙ガイドを配設したので、ピックアップローラを大きく上方に待避させなくとも、バックフィードする記録媒体を用紙ガイドで案内することで、ピックアップローラに擦らないようにすることができる。
そのために、印画面が傷等によって劣化することがない。
【００４２】
また、用紙ガイドは、支持部材に一体形成したので、１つの駆動源で支持部材と用紙ガイドを同時に駆動することができる。
【図面の簡単な説明】
【図１】本発明のプリンタの印刷動作を説明する要部断面図である。
【図２】本発明のプリンタの印刷動作を説明する要部断面図である。
【図３】本発明のプリンタの印刷動作を説明する要部断面図である。
【図４】本発明のプリンタの印刷動作を説明する要部断面図である。
【図５】図１の斜視図である。
【図６】本発明に係わる支持部材及びピックアップローラを説明する要部斜視図である。
【図７】本発明に係わる支持部材及びピックアップローラを説明する要部斜視図である。
【図８】従来のプリンタを説明する概略図である。
【符号の説明】
１　本発明のプリンタ
２　本体ケース
２ａ　側板
３　プラテンローラ
４　サーマルヘッド
７　紙送りローラ
８　圧接ローラ
９　支持部材
９ａ　第１カム板
９ｂ　第１ローラ係支腕
９ｊ　第２カム板
１０　用紙ガイド
１１　ローラ支持部材
１１ａ　ピックアップローラ
１２　付勢部材
１３　記録媒体
１４　給紙トレー
１５　圧接プレート
【図１】
2004075214.tif 000003
【図２】
2004075214.tif 000004
【図３】
2004075214.tif 000005
【図４】
2004075214.tif 000006
【図５】
2004075214.tif 000007
【図６】
2004075214.tif 000008
【図７】
2004075214.tif 000009
【図８】
2004075214.tif 000010